(57)【要約】 【課題】震災時や緊急時において、簡単に持ち運んで搬入することができ、適切な応急処置を施し易い応急ベッドを提供する。【解決手段】応急ベッド１は、背部フレーム１０、腰部フレーム１１、脚部フレーム１２が順次連結されてなるフレーム部５、折り畳み自在の支保部６を有する支持台２と、支持台２上に装着されるボトム３と、を備える。ボトム３は、傾斜角αをなすように起伏自在とされた背部ボトム３０と、腰部ボトム３１と、腰部ボトム３１と頂角βを形成する脚部ボトム３２と、から構成される。脚部フレーム１２を屈曲させて腰部フレーム１１の下方に折り重ね、脚部ボトム３２を屈曲させて腰部ボトム３１の上方に折り重ねる一方で、背部ボトム３０を添わせた背部フレーム１０を屈曲させて腰部フレーム１１の下方に折り重ねることにより、略箱型状に折り畳みできるように構成されている。【選択図】  図１
2010240314.tif 000002
【特許請求の範囲】
【請求項１】
背部フレーム、腰部フレーム、脚部フレームが屈曲可能に順次連結されてなるフレーム部と、該フレーム部を支える折り畳み自在の支保部と、を有する支持台と、
該支持台上に装着されるボトムと、を備えた応急ベッドであって、
該ボトムが、
該背部フレームに一辺側を軸着され、該背部フレームに対して所定の傾斜角をなすように起伏自在とされた背部ボトムと、
該腰部フレームに一辺側を軸着され、該腰部フレームに対して起伏自在とされた腰部ボトムと、
該腰部ボトムに一辺側を屈曲自在に連接されるとともに、該腰部ボトムと所定の頂角を形成するように、他辺側が該脚部フレーム上を摺接自在とされた脚部ボトムと、から構成され、
該脚部フレームを屈曲させて該腰部フレームの下方に折り重ね、該脚部ボトムを屈曲させて該腰部ボトムの上方に折り重ねる一方で、該背部ボトムを添わせた該背部フレームを屈曲させて該腰部フレームの下方に折り重ねることにより、略箱型状に折り畳みできるようになされた応急ベッド。
【請求項２】
該背部フレームと該腰部フレーム、および該腰部フレームと該脚部フレームが、該腰部フレームの下方に配設される第１回動軸、および第２回動軸を介してそれぞれ連結されており、
該第１回動軸から該腰部フレーム下面までの距離と、該第２回動軸から該腰部フレーム下面までの距離とを相違せしめることで、
略一定の厚みに折り畳みできるようになされた請求項１に記載の応急ベッド。
【請求項３】
該背部ボトムに、複数の係合溝が形成された突張部が折り畳み自在に設けられ、該係合溝を該背部フレームに突設された係合部に係合することで、該傾斜角を複数段階に保持できるとともに、
該脚部フレームに、複数の係止部が爪状に設けられ、該脚部ボトムの該他辺側を該係止部に係止することで、該頂角を複数段階に保持できるようになされた請求項２に記載の応急ベッド。
【請求項４】
該ボトムが、多数の透孔が穿設されたパネル部によって形成された請求項３に記載の応急ベッド。
【請求項５】
該支保部が伸縮して、該支持台の高さを調節できるようになされた請求項４に記載の応急ベッド。
【請求項６】
該背部ボトムに着脱自在に装着されるヘッドレストをさらに備えた請求項５に記載の応急ベッド。
【請求項７】
ジュラルミンからなる請求項１乃至６の何れかに記載の応急ベッド。
【発明の詳細な説明】
【技術分野】
【０００１】
本発明は、災害時や緊急時に好適に用いることのできる応急ベッドに関する。
【背景技術】
【０００２】
従来、地震、火災、事故等の災害時や緊急時に、被災者、負傷者等の患者を搬出救助するために担架が用いられている。一般的な担架は、帆布等の両側を袋状とし、そこに棒体を挿入した構成であるため、担架上の患者に、骨折時の固定や胸骨圧迫（心臓マッサージ）等の心配蘇生といった応急処置を施すことは難しい。しかしながら、適切な応急処置を施すことなく単に患者を搬出するだけでは、却ってその症状を悪化させるおそれがある。
【０００３】
一方で、病院や介護施設等では、背上げや膝上げを可能としたいわゆるギャッチベッドが用いられることがある（特許文献１）。このようなベッドであれば、患者を所定姿勢に保持することができるため、医師や看護師等が様々な処置を施し易く、患者の苦痛も和らげることができる。
【先行技術文献】
【特許文献】
【０００４】
【特許文献１】特開２００５−１８５７３６号公報
【発明の概要】
【発明が解決しようとする課題】
【０００５】
ところが、上記特許文献１に記載される如くのベッドは大型で重量があり、電源も要するため、災害時や緊急時の現場で持ち運び、使用することは難しい。しかも災害時や緊急時には、倒壊物等の影響を受けることから、このようなベッドを被災者、負傷者等の患者のもとに搬入することは困難をきわめるものである。
【０００６】
そこで、本発明は、上記事情に鑑みてなされたものであり、その目的とするところは、震災時や緊急時において、簡単に持ち運んで搬入することができ、適切な応急処置を施し易い応急ベッドを提供することにある。本発明の他の目的は、以下の説明により明らかにされる。
【課題を解決するための手段】
【０００７】
本発明の応急ベッドは、背部フレーム、腰部フレーム、脚部フレームが屈曲可能に順次連結されてなるフレーム部と、該フレーム部を支える折り畳み自在の支保部と、を有する支持台と、該支持台上に装着されるボトムと、を備えた応急ベッドであって、該ボトムが、該背部フレームに一辺側を軸着され、該背部フレームに対して所定の傾斜角をなすように起伏自在とされた背部ボトムと、該腰部フレームに一辺側を軸着され、該腰部フレームに対して起伏自在とされた腰部ボトムと、該腰部ボトムに一辺側を屈曲自在に連接されるとともに、該腰部ボトムと所定の頂角を形成するように、他辺側が該脚部フレーム上を摺接自在とされた脚部ボトムと、から構成され、該脚部フレームを屈曲させて該腰部フレームの下方に折り重ね、該脚部ボトムを屈曲させて該腰部ボトムの上方に折り重ねる一方で、該背部ボトムを添わせた該背部フレームを屈曲させて該腰部フレームの下方に折り重ねることにより、略箱型状に折り畳みできるように構成されている。
【０００８】
本発明の応急ベッドの好ましい例では、該背部フレームと該腰部フレーム、および該腰部フレームと該脚部フレームが、該腰部フレームの下方に配設される第１回動軸、および第２回動軸を介してそれぞれ連結されており、該第１回動軸から該腰部フレーム下面までの距離と、該第２回動軸から該腰部フレーム下面までの距離とを相違せしめることで、略一定の厚みに折り畳みできるように構成されている。
【０００９】
本発明の応急ベッドのさらに好ましい例では、該背部ボトムに、複数の係合溝が形成された突張部が折り畳み自在に設けられ、該係合溝を該背部フレームに突設された係合部に係合することで、該傾斜角を複数段階に保持できるとともに、該脚部フレームに、複数の係止部が爪状に設けられ、該脚部ボトムの該他辺側を該係止部に係止することで、該頂角を複数段階に保持できるように構成されている。
【００１０】
本発明の応急ベッドのさらに好ましい例では、該ボトムが、多数の透孔が穿設されたパネル部によって形成されている。
【００１１】
本発明の応急ベッドのさらに好ましい例では、該支保部が伸縮して、該支持台の高さを調節できるように構成されている。
【００１２】
本発明の応急ベッドのさらに好ましい例では、該背部ボトムに着脱自在に装着されるヘッドレストをさらに備えている。
【００１３】
本発明の応急ベッドの他の好ましい例では、上記構成の応急ベッドが、ジュラルミンからなるものである。
【発明の効果】
【００１４】
本発明の応急ベッドは、上記のとおり、背部フレーム、腰部フレーム、脚部フレームが屈曲可能に順次連結されてなるフレーム部と、該フレーム部を支える折り畳み自在の支保部と、を有する支持台と、該支持台上に装着されるボトムと、を備えた応急ベッドであって、該ボトムが、該背部フレームに一辺側を軸着され、該背部フレームに対して所定の傾斜角をなすように起伏自在とされた背部ボトムと、該腰部フレームに一辺側を軸着され、該腰部フレームに対して起伏自在とされた腰部ボトムと、該腰部ボトムに一辺側を屈曲自在に連接されるとともに、該腰部ボトムと所定の頂角を形成するように、他辺側が該脚部フレーム上を摺接自在とされた脚部ボトムと、から構成され、該脚部フレームを屈曲させて該腰部フレームの下方に折り重ね、該脚部ボトムを屈曲させて該腰部ボトムの上方に折り重ねる一方で、該背部ボトムを添わせた該背部フレームを屈曲させて該腰部フレームの下方に折り重ねることにより、略箱型状に折り畳みできるように構成されているため、震災時や緊急時において、簡単に持ち運んで搬入することができ、適切な応急処置を施し易い。
【図面の簡単な説明】
【００１５】
【図１】実施形態に係る応急ベッドを示す斜視図である。
【図２】実施形態に係る応急ベッドを示す分解斜視図である。
【図３】（ａ）（ｂ）（ｃ）実施形態に係る応急ベッドの折り畳み状況を示す側面図である。
【図４】変形例を示す図である。
【図５】（ａ）（ｂ）（ｃ）他の実施形態に係る応急ベッドの折り畳み状況を示す側面図である。
【発明を実施するための形態】
【００１６】
以下、本発明の実施形態について、図面を参照して詳細に説明する。図１〜図３は、実施形態に係る応急ベッド１を示しており、図１は斜視図、図２は分解斜視図、図３は折り畳み状況を示す側面図である。
【００１７】
図１〜図２に示すように、応急ベッド１は、支持台２と、支持台２上に装着されるボトム３とからなり、幅方向Ａに対称な構成を有する。支持台２は、全体として長さ方向Ｂに長い平面視矩形（７２０ｍｍ×１６００ｍｍ程度）のフレーム部５と、これを四隅で下方から直立に支える支保部６とによって骨組み状に形成されている。
【００１８】
図２に示すように、フレーム部５は、長さ方向Ｂに沿ってさらに背部フレーム１０、腰部フレーム１１、脚部フレーム１２に三分割される構成である。脚部フレーム１２は、背部フレーム１０および腰部フレーム１１よりも所定長さだけ短くしてある。
各フレーム１０、１１、１２は角形パイプを外周に配置してなり、全体として水平な支持面を形成できるものであるが、これらは所定の回動軸（第１回動軸１３、第２回動軸１４；図１参照）を介して下方に屈曲可能に順次連結されている。回動軸１３、１４は、例えば各フレーム１０、１１、１２からそれぞれ斜め下方に適宜延出させた連結腕１５〜１８と、軸通ボルト１９とによって形成される。
【００１９】
背部フレーム１０および脚部フレーム１２には、取付片２１が成形されており、これに支保部６が折り畳み自在に取着されている。支保部６は、伸縮可能な構造を有する。例えば図２に示す如く支保部６を中空に構成し、接地側の開放端に伸縮部２２を嵌入する。伸縮部２２には、挿通孔２３が適宜間隔で穿設されており、挿通ボルト２５を抜き差しすることで、伸縮部２２が伸縮可能に固定される。これにより支持台２の高さを４２０ｍｍから５７０ｍｍまで変化させることができるようになっている。
なお、図１〜図２中、２７は支保部６を幅方向Ａに連結する補強ロッドであり、２８は背部フレーム１０ないし脚部フレーム１２に対して支保部６を直立状態で固定するための、着脱可能な固定プレートである。
【００２０】
図２に示すように、ボトム３は、上記フレーム部５と略等しい全長を有し、背部フレーム１０、腰部フレーム１１、脚部フレーム１２にそれぞれ対応して、背部ボトム３０、腰部ボトム３１、脚部ボトム３２からなる。各ボトム３０、３１、３２は、矩形枠部３５、３６、３７と、この枠部３５、３６、３７に一体に内設されたパネル部３５ｐ、３６ｐ、３７ｐとにより、略平坦な上面３０ａ、３１ａ、３２ａを形成するようにそれぞれ構成されている。各パネル部３５ｐ、３６ｐ、３７ｐには、小径の透孔３８が多数穿設されている。透孔３８は、任意の形状としてよい。このようなパネル部３５ｐ、３６ｐ、３７ｐに替えて、メッシュ状布帛等を張設するようにしてもよいが、パネル部３５ｐ、３６ｐ、３７ｐを用いた場合には、所定の医療処置（心臓マッサージ等）を施し易い上に、水切れが良く、汚れや血液等が付着しても、その除去や除去後の乾燥が容易であるため、より好ましい。
各枠部３５、３６、３７の幅方向Ａ両側辺には、下方に折り曲げられた形状の折り曲げ部３５ａ、３６ａ、３７ａがそれぞれ形成されており、断面逆凹型をなすことでフレーム部５にちょうど被装できる構造となっている。
【００２１】
背部ボトム３０は、図１〜図２に示すように、折り曲げ部３５ａから延設された軸着部４０を介して、背部フレーム１０に一辺３５ｃ側を軸着されている。これにより背部ボトム３０は、その上面３５ａが背部フレーム１０に対して所定の傾斜角α（図１参照）をなすように、他辺３５ｂ側を起伏自在にして構成されている。この傾斜角αは少なくとも半座位またはファーラー位を実現できるものとする。背部ボトム３０ではさらに、折り曲げ部３５ａの適宜位置に、複数の係合溝４２が櫛状に形成された板状の突張部４１が折り畳み自在に軸着されており、この係合溝４２を、背部フレーム１０に適宜突設された係合部４４に係合することで、上記傾斜角αを複数段階に保持できるようになっている。より具体的には、傾斜角αは１５〜６５度程度の範囲で調整され得るのがよい。
【００２２】
腰部ボトム３１も、図１〜図２に示すように、同様に軸着部４６を介して、腰部フレーム１１に一辺３６ｂ側を軸着されており、腰部フレーム１１に対して他辺３６ｃ側を起伏自在にして構成されている。上記他辺３６ｃ側には、丁番４７を介して、さらに脚部ボトム３２の一辺３７ｂが連接されているとともに、他辺３７ｃ側は脚部フレーム１２上を摺接自在とされている。これにより腰部ボトム３１と脚部ボトム３２とが、互いの上面３１ａ、３２ａが所定の頂角β（図１参照）を形成するように屈曲自在に構成されている。折り曲げ部３６ａ、３７ａには、図２に示すように、上記頂角βを形成し易くするための切欠部４８、４９がそれぞれ設けられている。また、脚部フレーム１２上の適宜位置には、複数の係止部５１が爪状に成形されており、脚部ボトム３２の他辺３７ｃ側を脚部フレーム１２上で摺接させて、この係止部５１に係止することで、上記頂角βを複数段階に保持できるようになっている。より具体的には、頂角βは９０〜１５０度程度の範囲で調整され得るのがよい。
【００２３】
上記応急ベッド１を構成する材料としては、必要な強度や耐久性等を備えるものであれば、様々なものを採用することができる。スチールを用いた場合には安価に構成し得るが、より一層の軽量化を図る観点からは、低比重金属の部類に属するアルミニウムやアルミニウム合金、マグネシウム合金、チタニウム合金等が好ましい。この実施形態では、応急ベッド１はジュラルミン製（７０００系）であり、全体重量が約９ｋｇ（スチール製とした場合には約２５ｋｇ）ときわめて軽量に構成されている。ジュラルミンは、軽量でありながら比較的強度が高く、十分な耐錆性を持っており、洗浄等も容易におこなえることから、応急ベッド１を構成する材料として適している。
【００２４】
上記の如く構成される応急ベッド１は、図１に示すような状態で使用されるが、使用に際しては、患者の症状に応じた適当な傾斜角αおよび頂角βを保持させておく。そして、患者の背、腰、脚が、それぞれ応急ベッド１の背部ボトム３０、腰部ボトム３１、脚部ボトム３２に載るようにして、患者を横臥させるのである。患者を応急ベッド１上に横臥させてから傾斜角αおよび頂角βを調整するようにしてもよい。
その後、患者は、医師や看護師によって応急処置等を施されることとなるが、応急ベッド１により、症状に応じて上体の背起こしや膝上げがなされた所定姿勢に保持されていることから、骨折時の固定や胸骨圧迫（心臓マッサージ）等の心配蘇生といった応急処置を施すことが容易となる。
【００２５】
このとき、応急ベッド１のボトム３が、上記したとおり多数の透孔３８が穿設されたパネル部３５ｐ、３６ｐ、３７ｐによって形成されていることから、通気性や通水性を保ち易い。したがって、汚れや水を被った患者であっても着衣状態のまま利用でき、水や湯等をかける洗浄処置もおこない易いことから、適切な初期治療が可能となり、初期感染等を効果的に防止し得る。
さらに、応急ベッド１の支保部６が伸縮して、支持台２の高さを調節できるため、患者や医師、看護師等個々の状況に、より対応し易いものとなっている。
【００２６】
上記応急ベッド１は、フレーム部５に吊り上げベルトを巻回したり、フロートを装着することにより、ボトム３上に患者を横臥させたまま空中や水上を搬出することができる。フレーム部５の適宜位置にグリップハンドルを付設し、人力で搬出するようにしてもよい。また、応急ベッド１をもっぱら応急処置用として用い、処置を終えた患者を、担架等他の搬送手段で搬出することもできる。
【００２７】
この応急ベッド１は、以下のようにして所定状態に折り畳むことができるものである。先ず固定プレート２８を解除して、図３（ａ）に示すように、支保部６をフレーム部５に折り畳む。伸縮部２２は支保部６内に嵌入して短くしておく。
次に、図３（ｂ）に示すように、折り畳んだ支保部６が腰部フレーム１１の下面１１ｂに当接するように、脚部フレーム１２を、第２回動軸１４まわりに屈曲させて、腰部フレーム１１の下方に折り重ねる。このとき、脚部フレーム１２が所定長さに構成されており、腰部フレーム１１に折り重ねた際に、連結腕１６に干渉しないようになっている。
脚部ボトム３２は、図３（ｂ）に示すように、丁番４７を介して逆方向に屈曲させ、その上面３２ａが腰部ボトム３１の上面３１ａに当接するように、被装状態にある腰部ボトム３１の上方に折り重ねるようにする。
【００２８】
そして、図３（ｂ）に示す如く突張部４１を背部フレーム３０の側面に折り畳むとともに、図３（ｃ）に示すように、上記折り畳んだ支保部６が脚部フレーム１２に当接するように、背部フレーム１０を、第１回動軸１３まわりに屈曲させて、腰部フレーム１１の下方にさらに折り重ねる。このとき、背部フレーム１０に折り畳まれた支保部６と、脚部フレーム１２の係止部５１とが干渉しないように構成されている。背部ボトム３０は、背部フレーム１０に被装したまま、背部フレーム１０に添わせて折り重ねる。
以上により、応急ベッド１を図３（ｃ）に示す如くコンパクトな略箱型状に折り畳むことができる。折り畳んだ応急ベッド１は、ゴム帯等で適宜緊締しておけば折り畳んだ状態を保持し易い。
【００２９】
この実施形態では、第１回動軸１３から腰部フレーム１１の下面１１ｂまでの距離ｄ１（図３（ａ）参照）と、第２回動軸１４から腰部フレーム１１の下面１１ｂまでの距離ｄ２（図３（ａ）参照）とが相違するように構成されている。より具体的には、上記ｄ１が上記ｄ２の約３倍となるようになされている。このような構成であれば、フレーム部５と支保部６とを略同一の断面寸法に規格化しつつ、応急ベッド１を全体として略一定の厚みに折り畳むことが可能となる。
【００３０】
折り畳んだ状態の応急ベッド１は、上記と逆の手順によって組み立てることができる。この組み立てに際しては、レンチ、ドライバー等の器具や他の連結部品は全く必要ない。よって、短時間で簡易に組み立てをおこなうことが可能となる。
【００３１】
以上説明した応急ベッド１によれば、コンパクトな形態に折り畳まれ、軽量であることから、震災時や緊急時においても、倒壊物等の中を簡単に持ち運ぶことができる。応急ベッド１であれば、一人あたり１、２台を担いで現場へ搬入することも容易である。
また、応急ベッド１は、必要最小限と言ってよい大きさに折り畳まれ得るため、多くの台数を保管したり、一度に大量に輸送することも可能となる。
【００３２】
さらに、応急ベッド１によれば、上記背部ボトム３０、腰部ボトム３１、脚部ボトム３２によって、患者を所定姿勢に保持することができるため、様々な外科的・内科的処置から心肺蘇生に至るまで適切な処置を医師や看護師が施し易く、患者の苦痛も和らげることができる。
【００３３】
図４に、上記実施形態の変形例を示す。この変形例では、背部ボトム３０の枠部３５の辺３５ｂ側が下方に折り曲げられて折り曲げ部５５が形成されるとともに、折り曲げ部５５の中央付近に所定の差込穴５６が設けられており、差込部５９が突設されたヘッドレスト５８を着脱自在に装着できるようになっている。
【００３４】
このようなヘッドレスト５８を装着することで、患者の気道確保や頭部、耳裏の外傷等の処置を、よりおこない易くすることが可能となる。
【００３５】
他の実施形態について、図５を参照して説明する。図５は、他の実施形態に係る応急ベッド１’の折り畳み状況を示す側面図である。上記実施形態と共通する構成については、同一の符号を付して説明を省略する。
【００３６】
応急ベッド１’では、図５（ａ）に示すように、連結腕１５’〜１８’、軸通ボルト１９’によって、第１回動軸１３’と第２回動軸１４’が構成されている。そして、第１回動軸１３’から腰部フレーム１１’の下面１１ｂまでの距離ｄ１が、第２回動軸１４’から腰部フレーム１１’の下面１１ｂまでの距離ｄ２よりも小さくなるように構成されている。
【００３７】
応急ベッド１’の折り畳みに際しては、脚部フレーム１２よりも背部フレーム１０を先に腰部フレーム１１’に折り重ねる。つまり、図５（ｂ）（ｃ）に示すように、背部フレーム１０を、背部ボトム３０とともに第１回動軸１３’まわりに屈曲させ、腰部フレーム１１’の下面１１ｂに折り重ねたのちに、脚部フレーム１２を、第２回動軸１４’まわりに屈曲させ、背部ボトム３０の上面３０ａに折り重ねるようにする。脚部ボトム３２は、腰部ボトム３１’に上方から折り重ねる。
この実施形態では、折り重ねた背部フレーム１０が連結腕１７’に干渉しないように、
腰部フレーム１１’が背部フレーム１０よりも所定長さだけ長くしてある。
【００３８】
このような応急ベッド１’であっても、図５（ｃ）に示す如くの略箱型状に折り畳むことができる。脚部フレーム１２を、腰部フレーム１１’と同一長さに形成するようにすれば、図３（ｃ）で示したものと同様、持ち運び等に一層適した形態とすることが可能となる。
【００３９】
以上の実施形態の記述は、本発明をこれに限定するものではなく、本発明の趣旨を逸脱しない範囲で種々の変更等が可能であることは言うまでもない。
【産業上の利用可能性】
【００４０】
本発明は、簡単に持ち運んで搬入することができ、適切な応急処置を施し易いベッドを提供するものであり、震災時や緊急時における応急ベッドとして幅広く利用することができる。
【符号の説明】
【００４１】
１  応急ベッド
２  支持台
３  ボトム
５  支持台
６  支保部
１０  背部フレーム
１１  腰部フレーム
１１ｂ  下面
１２  脚部フレーム
１３  第１回動軸
１４  第２回動軸
２２  伸縮部
３０  背部ボトム
３１  腰部ボトム
３２  脚部ボトム
３０ａ、３１ａ、３２ａ  上面
３５ｂ、３５ｃ  辺
３６ｂ、３６ｃ  辺
３７ｂ、３７ｃ  辺
３５ｐ、３６ｐ、３７ｐ  パネル部
３８  透孔
４１  突張部
４２  係合溝
４４  係合部
５１  係止部
α  傾斜角
β  頂角
【図１】
2010240314.tif 000003
【図２】
2010240314.tif 000004
【図３】
2010240314.tif 000005
【図４】
2010240314.tif 000006
【図５】
2010240314.tif 000007